(57)【要約】【課題】エア吹込み装置を備えた活魚輸送容器により活魚を空輸する場合において、離陸前や着陸後に行うモータの停止及び駆動の切替え操作を簡単に行うことができる活魚輸送容器を提供する。【解決手段】電池及びモータ、このモータにより駆動されるエアポンプを含む本体部５、上面を開口した容器本体２内に配置されたエア吹出し部６、並びに前記エアポンプ及びエア吹出し部６を繋ぐエアホース７からなるエア吹込み装置４を備え、容器本体２Ａ内に水とともに活魚を収容し、容器本体２の上面開口２Ａを蓋体３により塞いだ状態で、前記活魚を活きたまま輸送するための活魚輸送容器１であって、エア吹込み装置４の本体部５に、無線送信機１０から送信された信号を受信する無線受信機１１を備えるとともに、無線受信機１１が受信した前記信号に基づいて前記モータの駆動及び停止を切り替える。【選択図】図１
2015104337.tif 000002
【特許請求の範囲】
【請求項１】
電池及びモータ、このモータにより駆動されるエアポンプを含む本体部、上面を開口した容器本体内に配置されたエア吹出し部、並びに前記エアポンプ及び前記エア吹出し部を繋ぐエアホースからなるエア吹込み装置を備え、前記容器本体内に水とともに活魚を収容し、前記容器本体の上面開口を蓋体により塞いだ状態で、前記活魚を活きたまま輸送するための活魚輸送容器であって、
前記エア吹込み装置の本体部に、無線送信機から送信された信号を受信する無線受信機を備えるとともに、前記無線受信機が受信した前記信号に基づいて前記モータの駆動及び停止を切り替え可能としたことを特徴とする活魚輸送容器。
【請求項２】
前記モータが停止した状態で前記無線受信機が受信した前記信号に基づいてタイマーを設定し、その設定時間後に前記モータを駆動する請求項１記載の活魚輸送容器。
【請求項３】
前記モータの駆動状態又は停止状態を表示する、前記容器の外方から視認可能な表示部を備えてなる請求項１又は２記載の活魚輸送容器。
【請求項４】
前記容器本体及び前記蓋体が発泡合成樹脂製である請求項１〜３の何れか１項に記載の活魚輸送容器。
【請求項５】
請求項１、３及び４の何れか１項に記載の活魚輸送容器を複数備え、これらの活魚輸送用容器における前記エア吹込み装置のモータの駆動及び停止の切替えを、１つの無線送信機からの信号送信により行うことを特徴とする活魚輸送システム。
【請求項６】
請求項２、３及び４の何れか１項に記載の活魚輸送容器を複数備え、これらの活魚輸送用容器における前記エア吹込み装置のモータの駆動及び停止の切替え、並びに前記タイマーの設定を、１つの無線送信機からの信号送信により行うことを特徴とする活魚輸送システム。
【請求項７】
請求項５記載の活魚輸送システムを用いて、前記活魚輸送容器の容器本体内に水とともに活魚を収容し、前記容器本体の上面開口を前記活魚輸送容器の蓋体により塞いだ状態で前記活魚を空輸する活魚輸送方法であって、
１つの無線送信機からの信号送信により、離陸前に前記エア吹込み装置のモータを停止状態とし、前記１つの無線送信機、又は前記１つの無線送信機とは別の１つの無線送信機からの信号送信により、着陸後に前記モータを駆動状態とすることを特徴とする活魚輸送方法。
【請求項８】
請求項６記載の活魚輸送システムを用いて、前記活魚輸送容器の容器本体内に水とともに活魚を収容し、前記容器本体の上面開口を前記活魚輸送容器の蓋体により塞いだ状態で前記活魚を空輸する活魚輸送方法であって、
１つの無線送信機からの信号送信により、離陸前に前記エア吹込み装置のモータを停止状態とするとともに前記タイマーを設定し、着陸後に前記タイマーの設定時間が経過して前記モータが駆動状態になることを特徴とする活魚輸送方法。
【請求項９】
前記活魚とともに収容する水として、高濃度酸素水又は酸素ナノバブル水を用いる請求項７又は８記載の活魚輸送方法。
【請求項１０】
前記水中に硝化菌を添加する請求項７〜９の何れか１項に記載の活魚輸送方法。
【請求項１１】
前記水の温度を、前記活魚の活動が弱まって代謝機能が抑制される、前記活魚の生命限界点よりも高い温度にする請求項７〜１０の何れか１項に記載の活魚輸送方法。
【発明の詳細な説明】
【技術分野】
【０００１】
本発明は、水とともに収容した活魚を活きたまま輸送する活魚輸送容器に関し、さらに詳しくは、活魚を活きたまま確実に輸送するために、空気中の酸素を水中に溶け込ませるためのエア吹込み装置を備えた活魚輸送容器に関する。
【背景技術】
【０００２】
活きている魚介類（活魚）を活きたまま輸送する活魚輸送において、容積をなるべく小さくして輸送効率を高めながら活魚を活きたまま確実に輸送するために、空気中の酸素を水中に溶け込ませるためのエア吹込み装置を備えた活魚輸送容器がある（例えば、特許文献１〜４参照）。
このような活魚輸送容器に使用されるエア吹込み装置は、電池及びエアポンプ等からなる本体部と、容器本体内の底部に配置されたエア吹出し部と、前記本体部及び前記エア吹出し部とを繋ぐエアホースからなり、前記本体部に設けたスイッチ（例えば、特許文献４の図２のスイッチ１２参照）を操作することにより、エアポンプを駆動するモータの駆動及び停止が切り替えられる。
【先行技術文献】
【特許文献】
【０００３】
【特許文献１】特許第３７８９３４４号公報
【特許文献２】特許第３９１４１２５号公報
【特許文献３】特許第４７６６９７９号公報
【特許文献４】特許第４９２３５８０号公報
【発明の概要】
【発明が解決しようとする課題】
【０００４】
活魚輸送において、なるべく早く活魚を流通させることや遠方へ輸送することを企図して、一般的なトラック便ではなく航空便を用いることが考えられる。
しかしながら、エア吹込み装置を備えた活魚輸送容器に水とともに活魚を収容して活きたまま空輸する場合、電磁ノイズを抑制して航空機の運行の安全を確保するために、離陸前にエア吹込み装置のモータを停止させる必要があるので、そのためにスイッチを個別に操作して前記モータを停止させなければならない。
このような操作は、空輸する活魚輸送容器の数量が多ければ多い程、前記モータの停止状態の確認も含めて多くの手間が掛かるという問題があり、着陸後には、前記モータを駆動するためのスイッチ操作を迅速に行う必要があるため、その際にも多くの手間が掛かるという問題がある。
【０００５】
また、エア吹込み装置を備えた活魚輸送容器を空輸する場合、エア吹込み装置の前記モータを停止させた状態で輸送されるので、活魚を活きたまま輸送できる時間に制限がある。
よって、海外等への販路拡大ニーズが増大している現状から、より遠方への空輸を可能にするために、エア吹込み装置のモータを停止させた状態で活魚を活きたまま輸送できる時間を延ばすための工夫も必要になる。
【０００６】
そこで本発明が前述の状況に鑑み、解決しようとするところは、エア吹込み装置を備えた活魚輸送容器に水とともに活魚を収容して活きたまま空輸する場合において、離陸前や着陸後に行うエア吹込み装置のモータの停止及び駆動を切り替える操作を簡単に行うことができ、より遠方への空輸が可能になる、活魚輸送容器及び活魚輸送システム、並びに活魚輸送方法を提供する点にある。
【課題を解決するための手段】
【０００７】
本発明に係る活魚輸送容器は、前記課題解決のために、電池及びモータ、このモータにより駆動されるエアポンプを含む本体部、上面を開口した容器本体内に配置されたエア吹出し部、並びに前記エアポンプ及び前記エア吹出し部を繋ぐエアホースからなるエア吹込み装置を備え、前記容器本体内に水とともに活魚を収容し、前記容器本体の上面開口を蓋体により塞いだ状態で、前記活魚を活きたまま輸送するための活魚輸送容器であって、前記エア吹込み装置の本体部に、無線送信機から送信された信号を受信する無線受信機を備えるとともに、前記無線受信機が受信した前記信号に基づいて前記モータの駆動及び停止を切り替え可能としたことを特徴とする（請求項１）。
このような構成によれば、エア吹込み装置の本体部に備えた無線受信機が受信した無線送信機から送信された信号に基づいてエア吹込み装置のモータの駆動及び停止を切り替え可能としたので、モータの駆動及び停止の切り替えを遠隔操作により簡単に行うことができる。
【０００８】
ここで、前記モータが停止した状態で前記無線受信機が受信した前記信号に基づいてタイマーを設定し、その設定時間後に前記モータを駆動すると好ましい（請求項２）。
このような構成によれば、無線送信機から送信された信号に基づいてエア吹込み装置のモータを停止した後、前記信号に基づいてタイマーが設定され、その設定時間後に前記モータが駆動されるので、前記モータを停止状態から駆動状態へ復帰させるために行う無線送信機からの信号送信が不要になる。
【０００９】
また、前記モータの駆動状態又は停止状態を表示する、前記容器の外方から視認可能な表示部を備えてなるとさらに好ましい（請求項３）。
このような構成によれば、表示部にエア吹込み装置のモータの駆動状態又は停止状態が表示されるので、モータの駆動状態又は停止状態を、表示部を視認することにより容易に確認できる。
【００１０】
さらに、前記容器本体及び前記蓋体が発泡合成樹脂製であると一層好ましい（請求項４）。
このような構成によれば、活魚輸送容器の容器本体及び蓋体が発泡合成樹脂製であるので、軽量であるとともに断熱性に優れているため、活魚の輸送に好適なものとなる。
その上、容器本体及び蓋体を発泡ポリスチレン製にすることにより低コスト化を図ることができる。
【００１１】
本発明に係る活魚輸送システムは、前記課題解決のために、前記請求項１、３及び４の何れか１項に記載の活魚輸送容器を複数備え、これらの活魚輸送用容器における前記エア吹込み装置のモータの駆動及び停止の切替えを、１つの無線送信機からの信号送信により行うことを特徴とする（請求項５）。
このような構成によれば、１つの無線送信機からの信号送信により、複数の活魚輸送容器におけるエア吹込み装置のモータの駆動及び停止の切替えを行うことができるので、前記モータの駆動及び停止の切替え作業が容易になる。
【００１２】
また、本発明に係る活魚輸送システムは、前記課題解決のために、前記請求項２、３及び４の何れか１項に記載の活魚輸送容器を複数備え、これらの活魚輸送用容器における前記エア吹込み装置のモータの駆動及び停止の切替え、並びに前記タイマーの設定を、１つの無線送信機からの信号送信により行うことを特徴とする（請求項６）。
このような構成によれば、１つの無線送信機からの信号送信により、複数の活魚輸送容器におけるエア吹込み装置のモータの駆動及び停止の切替え、並びに前記タイマーの設定を行うことができるので、前記モータの駆動及び停止の切替え作業、並びに前記タイマーの設定作業が容易になる。
【００１３】
本発明に係る活魚輸送方法は、前記課題解決のために、前記請求項５記載の活魚輸送システムを用いて、前記活魚輸送容器の容器本体内に水とともに活魚を収容し、前記容器本体の上面開口を前記活魚輸送容器の蓋体により塞いだ状態で前記活魚を空輸する活魚輸送方法であって、１つの無線送信機からの信号送信により、離陸前に前記エア吹込み装置のモータを停止状態とし、前記１つの無線送信機、又は前記１つの無線送信機とは別の１つの無線送信機からの信号送信により、着陸後に前記モータを駆動状態とすることを特徴とする（請求項７）。
このような活魚輸送方法によれば、航空機に積載する多数の活魚輸送容器に対し、離陸前に１つの無線送信機からの信号送信によりエア吹込み装置のモータを停止状態とすることができるので、電磁ノイズを抑制して航空機の運行の安全を確保するために行う前記モータを停止させる作業が非常に容易になる。
その上、前記モータの駆動状態又は停止状態を表示する表示部を備えたものでは、表示部を視認することにより、前記モータの停止状態の確認が容易になる。
その上さらに、航空機に積載した多数の活魚輸送容器に対し、着陸後に１つの無線送信機からの信号送信により前記モータを駆動状態とすることができるので、着陸後に前記モータを駆動状態に復帰させる作業も非常に容易になる。
【００１４】
また、本発明に係る活魚輸送方法は、前記課題解決のために、前記請求項６記載の活魚輸送システムを用いて、前記活魚輸送容器の容器本体内に水とともに活魚を収容し、前記容器本体の上面開口を前記活魚輸送容器の蓋体により塞いだ状態で前記活魚を空輸する活魚輸送方法であって、１つの無線送信機からの信号送信により、離陸前に前記エア吹込み装置のモータを停止状態とするとともに前記タイマーを設定し、着陸後に前記タイマーの設定時間が経過して前記モータが駆動状態になることを特徴とする（請求項８）。
このような活魚輸送方法によれば、航空機に積載する多数の活魚輸送容器に対し、離陸前に１つの無線送信機からの信号送信によりエア吹込み装置のモータを停止状態とすることができるので、電磁ノイズを抑制して航空機の運行の安全を確保するために行う前記モータを停止させる作業が非常に容易になる。
その上、前記モータの駆動状態又は停止状態を表示する表示部を備えたものでは、表示部を視認することにより、前記モータの停止状態の確認が容易になる。
その上さらに、離陸前に１つの無線送信機からの信号送信により前記モータを駆動状態に復帰させるまでの時間をタイマーに設定できるので、着陸後に前記タイマーの設定時間が経過して前記モータが駆動状態になるため、着陸後の前記モータを駆動状態に復帰させる作業が不要になる。
【００１５】
ここで、前記活魚とともに収容する水として、高濃度酸素水又は酸素ナノバブル水を用いると好ましい（請求項９）。
このような活魚輸送方法によれば、活魚とともに容器内に収容された水が高濃度酸素水又は酸素ナノバブル水であるので、高濃度酸素水を用いた場合には通常の水よりも多量の酸素が溶かし込まれていることから、又酸素ナノバブル水を用いた場合には活魚が活性化されることから、エア吹込み装置のモータを停止させた状態で活魚を活きたまま輸送できる時間を延ばすことができるため、より遠方への空輸が可能になる。
【００１６】
また、前記水中に硝化菌を添加するとさらに好ましい（請求項１０）。
このような活魚輸送方法によれば、活魚の排泄物に含まれる毒性の強いアンモニアが硝化菌により無毒化されるので、空輸する時間が比較的長い場合であっても水質の悪化により活魚が死滅しない。
【００１７】
さらに、前記水の温度を、前記活魚の活動が弱まって代謝機能が抑制される、前記活魚の生命限界点よりも高い温度にすると一層好ましい（請求項１１）。
このような活魚輸送方法によれば、活魚とともに容器内に収容された水の温度が、前記活魚の活動が弱まって代謝機能が抑制される温度であるので、前記活魚の酸素消費量が減少するとともに、前記水の温度が前記活魚の生命限界点よりも高い温度であるので、前記活魚が死滅することがない。
よって、エア吹込み装置のモータを停止させた状態で活魚を活きたまま輸送できる時間を延ばすことができるため、より遠方への空輸が可能になる。
【発明の効果】
【００１８】
以上のように、本発明に係る活魚輸送容器及び活魚輸送システム、並びに活魚輸送方法によれば、エア吹込み装置を備えた活魚輸送容器に水とともに活魚を収容して活きたまま空輸する場合において、
（ア）航空機に積載する多数の活魚輸送容器に対し、離陸前に１つの無線送信機からの信号送信によりエア吹込み装置のモータを停止状態とすることができるので、電磁ノイズを抑制して航空機の運行の安全を確保するために行う前記モータを停止させる作業が非常に容易になること、
（イ）航空機に積載した多数の活魚輸送容器に対し、着陸後に１つの無線送信機からの信号送信により前記モータを駆動状態とすることができるので、着陸後に前記モータを駆動状態に復帰させる作業も非常に容易になること、
（ウ）タイマーを備えたものでは、離陸前に１つの無線送信機からの信号送信により前記モータを駆動状態に復帰させるまでの時間をタイマーに設定できるので、着陸後に前記タイマーの設定時間が経過して前記モータが駆動状態になるため、着陸後の前記モータを駆動状態に復帰させる作業が不要になること、
（エ）前記モータの駆動状態又は停止状態を表示する表示部を備えたものでは、表示部を視認することにより、前記モータの停止状態の確認が容易になること、
（オ）活魚とともに収容する水として、高濃度酸素水又は酸素ナノバブル水を用いること等により、エア吹込み装置のモータを停止させた状態で活魚を活きたまま輸送できる時間を延ばすことができるため、より遠方への空輸が可能になること、
等の顕著な効果を奏する。
【図面の簡単な説明】
【００１９】
【図１】本発明の実施の形態に係る活魚輸送容器をエア吹込み装置の本体部が保持された側から見た側面図である。
【図２】エア吹込み装置の本体部及び送信機のブロック図である。
【図３】活魚輸送容器内に水とともに活魚を収容した状態を示す縦断面図であり、エア吹込み装置のエアポンプを駆動するモータの駆動状態を示している。
【図４】活魚輸送容器内に水とともに活魚を収容した状態を示す縦断面図であり、エア吹込み装置のエアポンプを駆動するモータの停止状態を示している。
【図５】１つの無線送信機からの信号送信により、複数の活魚輸送容器におけるエア吹込み装置のモータの駆動及び停止の切替えを一括して行う例を示す説明図である。
【発明を実施するための形態】
【００２０】
次に本発明の実施の形態を添付図面に基づき詳細に説明するが、本発明は、添付図面に示された形態に限定されず特許請求の範囲に記載の要件を満たす実施形態の全てを含むものである。
【００２１】
図１の側面図及び図３の縦断面図に示すように、本発明の実施の形態に係る活魚輸送容器１は、容器本体２、及び容器本体２の上面開口２Ａを塞ぐように容器本体２の上端部に嵌合する蓋体３、並びにエア吹込み装置４からなり、エア吹込み装置４の本体部５は、本体収容部２Ｂに収容された状態で容器本体２に保持される。
ここで、容器本体２及び蓋体３は、軽量であるとともに断熱性に優れた、発泡ポリスチレン系樹脂、発泡ポリエチレン系樹脂、発泡ポリプロピレン系樹脂等の発泡ポリオレフィン系樹脂、ポリスチレン変性発泡ポリエチレン等のポリスチレン変性発泡ポリオレフィン系樹脂、硬質発泡ウレタン系樹脂等の発泡合成樹脂製であり、主にコスト面から発泡ポリスチレンが好ましい。
【００２２】
図１の側面図及び図３の縦断面図、並びに図２のブロック図に示すように、エア吹込み装置４の本体部５は、容器本体２内の底部に配置されたエア吹出し部６とエアホース７により繋がれたエアポンプ１６、エアポンプ１６を駆動するモータ１５、モータ１５の駆動部１３、駆動部１３を制御する制御部１２、無線送信機１０から送信された信号を受信する無線受信機１１、及びモータ１５の駆動状態又は停止状態を表示する表示部１４等からなる。
ここで、無線送信機１０から送信されて無線受信機１１で受信する信号は、電波、光、又は音波等、無線で信号の送受ができるものであればよい。
また、本体部５の無線受信機１１、制御部１２及び表示部１４は、図１のように本体部５の基体（筐体）と一体とする構成ではなく、これらを前記基体（筐体）と別体としてもよく、表示部１４は、外部から視認しやすい適宜位置に配置すればよい。
【００２３】
図１に示すエア吹込み装置４の本体部５の電池収納部５Ａには、電源となる電池（乾電池又は二次電池）が収納される。
また、図３に示すように、エア吹出し部６近傍のエアホース７が、容器本体２の底板から上方へ突出する突片８，９間に挟持されるので、エア吹出し部６は、突片８，９近傍の容器本体２の底部中央位置に保持される。
【００２４】
図３及び図４の縦断面図に示すように、容器本体２の上面開口２Ａから水（淡水、塩分を含んだ水、または海水等）Ｗとともに活魚Ｆを収容し、蓋体３を容器本体２の上端部に嵌合させて上面開口２Ａを塞いだ状態にする。
上面開口２Ａが蓋体３で塞がれた状態において、図１及び図２に示す無線送信機１０のＯＮボタンを押すと、無線送信機１０から送信された信号を無線受信機１１が受信し、制御部１２がモータ１５への電源供給回路をオン（閉）にするように駆動部１３を制御するので、モータ１５が駆動することから、エアポンプ１６が駆動されるため、図３のようにエア吹出し部６から空気が水Ｗ中に供給される。
また、この上面開口２Ａが蓋体３で塞がれた状態で、図１及び図２に示す無線送信機１０のＯＦＦボタンを押すと、無線送信機１０から送信された信号を無線受信機１１が受信し、制御部１２がモータ１５への電源供給回路をオフ（開）にするように駆動部１３を制御するので、モータ１５が停止することから、エアポンプ１６が停止されるため、図４のようにエア吹出し部６から空気が水Ｗ中に供給されなくなる。
以上のように、エア吹込み装置４の本体部５に備えた無線受信機１１が受信した無線送信機１０から送信された信号に基づいてエア吹込み装置４のモータ１５の駆動及び停止を切り替えることができるので、モータ１５の駆動及び停止の切り替えを遠隔操作により簡単に行うことができる。
機能としては、上述の通りであるが、実際の使用においては、水Ｗとともに活魚Ｆを容器本体２に収容し、エア吹込み装置４のモータ１５を手動により駆動させ（勿論、無線送信機１０の信号にて個々のモータ１５を駆動させることも可能である。）、エア吹出し部６から空気を水Ｗ中に供給させる状態にて、上面開口２Ａを蓋体３で塞いだ後に保管ないしは輸送に供する。そして、この閉蓋後においては、無線送信機１０から送信された信号にてモータ１５の駆動及び停止の切り替えを行うことが望まれる。何故なら、活魚Ｆの鮮度を少しでも損なわないようにするためには出来るだけモータ１５の停止時間を少なくすることが望ましいからである。
【００２５】
モータ１５の駆動状態又は停止状態は、制御部１２により制御される表示部１４に表示される。すなわち、例えば図１に示すようなＬＥＤにより構成される表示部１４により、ＬＥＤが点灯している（発光している）状態がモータ１５の駆動状態に対応し、ＬＥＤが消灯している（発光していない）状態がモータ１５の停止状態に対応する。また、別の態様としては、青色（赤色）ＬＥＤが点灯している（発光している）状態がモータ１５の駆動状態に対応し、赤色（青色）ＬＥＤが点灯している（発光している）状態がモータ１５の停止状態に対応するというような表示方法も可能である。
なお、表示部１４は、ＬＥＤにより構成されるものに限定されるものではなく、モータ１５の駆動状態又は停止状態を表示するものであればよい。
また、表示部１４は、図１のように容器１の外方から視認可能であるので、表示部１４を目視することにより、モータ１５の駆動状態又は停止状態を容易に確認できる。
【００２６】
ここで、エア吹込み装置４の本体部５における制御部１２にタイマー機能を付加し、タイマーの設定時間経過後に、制御部１２が駆動部１３を制御して、モータ１５への電源供給回路をオン（閉）にさせるようにしてもよい。
すなわち、制御部１２にタイマー機能を付加した場合は、モータ１５が停止した状態で無線送信機１０からタイマー設定時間を定める信号を送信し、無線受信機１１が受信した無線送信機１０から送信され信号（タイマー設定時間を定める信号）に基づいて、制御部１２がタイマーを設定し、その設定時間が経過した後に、制御部１２により制御された駆動部１３がモータ１５を駆動する。
このようなタイマー機能により、無線送信機１０から送信された信号に基づいてエア吹込み装置４のモータ１５を停止した後、無線送信機１０から送信されたタイマー設定時間を定める信号に基づいてタイマーが設定され、その設定時間後にモータ１５が駆動されるので、モータ１５を停止状態から駆動状態へ復帰させるために行う無線送信機１０からの信号送信が不要になる。
【００２７】
次に、本発明の実施の形態に係る本発明に係る活魚輸送システムについて説明する。
図５の説明図に示すように、水Ｗとともに活魚Ｆ（図３及ぶ図４参照）を収容した多数の活魚輸送容器１，１，…を例えばパレットＰ上に積載した状態で、１つの無線送信機１０からＯＦＦ信号を送信することにより、活魚輸送容器１，１，…を一括して、又は、複数個のグループごとに状態を確認しながら、エア吹込み装置４，４，…のモータ１５，１５，…を駆動状態から停止状態へ切り替えることができる。
また、同様に、１つの無線送信機１０からＯＮ信号を送信することにより、活魚輸送容器１，１，…を一括して、又は、複数個のグループごとに状態を確認しながら、エア吹込み装置４，４，…のモータ１５，１５，…を停止状態から駆動状態へ切り替えることができる。
このように、１つの無線送信機１０からの信号送信により、多数の活魚輸送容器１，１，…におけるエア吹込み装置４，４，…のモータ１５，１５，…の駆動及び停止の切替えを行うことができるので、モータ１５，１５，…の駆動及び停止の切替え作業が容易になる。
さらに、前記したように制御部１２にタイマー機能を付加したものにおいても、１つの無線送信機１０からの信号送信により、多数の活魚輸送容器１，１，…におけるタイマーの設定を、一括して、又は、複数個のグループごとに状態を確認しながら行うことができるので、タイマーの設定作業が容易になる。
【００２８】
次に、本発明の実施の形態に係る本発明に係る活魚輸送システムを用いた活魚輸送方法について説明する。
水Ｗとともに活魚Ｆを収容した多数の活魚輸送容器１，１，…を空輸する場合、電磁ノイズを抑制して航空機の運行の安全を確保するために、離陸前にエア吹込み装置４，４，…のモータ１５，１５，…を停止させる必要がある。
そのために、航空機の離陸前に、図５に示すような１つの無線送信機１０を用いて、無線送信機１０からＯＦＦ信号を送信することにより、活魚輸送容器１，１，…を一括して、又は、複数個のグループごとに状態を確認しながら、エア吹込み装置４，４，…のモータ１５，１５，…を駆動状態から停止状態へ切り替えることができる。
また、このような操作を行う際において、表示部１４，１４，…にモータ１５，１５，…の駆動状態又は停止状態が表示されるので、モータ１５，１５，…停止状態になったことの確認が容易である。
このように離陸前にエア吹込み装置４，４，…のモータ１５，１５，…を停止させた状態で、多数の活魚輸送容器１，１，…を、これらを収納したコンテナ等により航空機に積載する。
【００２９】
航空機が目的地に着陸した後、多数の活魚輸送容器１，１，…に対し、図５に示すような１つの無線送信機１０を用いて、無線送信機１０からＯＮ信号を送信することにより、活魚輸送容器１，１，…を一括して、又は、複数個のグループごとに状態を確認しながら、エア吹込み装置４，４，…のモータ１５，１５，…を停止状態から駆動状態へ切り替えることができる。なお、この無線送信機１０は、離陸地で用いた無線送信機１０を、多数の活魚輸送容器１，１，…とともに航空機で着陸地まで運んでもよいし、着陸地用に離陸地用とは別の無線送信機１０を別途用意しておいて使用することも自由である。
また、エア吹込み装置４の本体部５における制御部１２にタイマー機能を付加したものにおいて、航空機の離陸前に、モータ１５，１５，…が停止した状態で、１つの無線送信機１０からタイマー設定時間を定める信号を送信して、制御部１２，１２，…によりタイマーが設定されたものでは、着陸後の所定時刻に合わせて設定された設定時間が経過した後に、制御部１２，１２，…により制御された駆動部１３，１３，…がモータ１５，１５，…を駆動するので、モータ１５，１５，…を停止状態から駆動状態へ復帰させるために行う無線送信機１０からの信号送信が不要になる。
【００３０】
活魚輸送容器１，１，…を空輸する場合、航空機の離陸時から着陸時までエア吹込み装置４，４，…のモータ１５，１５，…（エアポンプ１６，１６，…）が停止しているので、活魚Ｆ，Ｆ，…を活きたまま輸送できる時間に制限があるため、モータ１５，１５，…（エアポンプ１６，１６，…）の停止状態で活魚Ｆ，Ｆ，…を活きたまま輸送できる時間を延ばすために、図４に示す水Ｗとして、高濃度酸素水又は酸素ナノバブル水を用いると好ましい。
このような活魚輸送方法によれば、活魚Ｆとともに容器１内に収容された水Ｗが高濃度酸素水又は酸素ナノバブル水であるので、高濃度酸素水を用いた場合には通常の水よりも多量の酸素が溶かし込まれていることから、又酸素ナノバブル水を用いた場合には活魚が活性化されることから、エア吹込み装置４のモータ１５（エアポンプ１６）を停止させた状態で活魚Ｆを活きたまま輸送できる時間を延ばすことができるため、より遠方への空輸が可能になる。
【００３１】
また、水Ｗ中に硝化菌を添加するとさらに好ましい。
このような活魚輸送方法によれば、活魚Ｆの排泄物に含まれる毒性の強いアンモニアが硝化菌により無毒化されるので、空輸する時間が比較的長い場合であっても水質の悪化により活魚が死滅しない。
さらに、水Ｗの温度を、活魚Ｆの活動が弱まって代謝機能が抑制される、活魚Ｆの生命限界点よりも高い温度にすると一層好ましい。
このような活魚輸送方法によれば、活魚Ｆとともに容器１内に収容された水Ｗの温度が、活魚Ｆの活動が弱まって代謝機能が抑制される温度であるので、活魚Ｆの酸素消費量が減少するとともに、水Ｗの温度が活魚Ｆの生命限界点よりも高い温度であるので、活魚Ｆが死滅することがない。
よって、エア吹込み装置４のモータ１５（エアポンプ１６）を停止させた状態で活魚Ｆを活きたまま輸送できる時間を延ばすことができるため、より遠方への空輸が可能になる。
【符号の説明】
【００３２】
Ｆ  活魚
Ｐ  パレット
Ｗ  水
１  活魚輸送容器
２  容器本体
２Ａ  上面開口
２Ｂ  本体収容部
３  蓋体
４  エア吹込み装置
５  本体部
５Ａ  電池収納部
６  エア吹出し部
７  エアホース
８，９  突片
１０  無線送信機
１１  無線受信機
１２  制御部
１３  駆動部
１４  表示部
１５  モータ
１６  エアポンプ
【図１】
2015104337.tif 000003
【図２】
2015104337.tif 000004
【図３】
2015104337.tif 000005
【図４】
2015104337.tif 000006
【図５】
2015104337.tif 000007